(57)【要約】【課題】蓋部の開放を確実に検出できるディスク装置を提供する。【解決手段】情報を記録及び／又は再生するディスクを回転させる駆動手段、回転するディスクに記録された情報の再生及び／又はディスクへの情報の記録を行う情報読取／書込手段、並びに、これらを制御する制御手段を備えた装置本体と、装置本体を収納する筐体１０とを備えたディスク装置１では、筐体は、駆動手段、情報読取／書込手段および制御手段を収納する筐体本体１４と、筐体本体に回動自在に軸支され、該筐体本体に形成されたディスク装着用の開口部２０Ａを塞ぐ蓋部１３とを備える。装置本体は、蓋部が回動自在に支持される突出部１３Ａ近傍、及び、該蓋部の回動支点とは反対側の端部近傍に、蓋部の開閉状態を検出する検出スイッチ２１Ａ，２１Ｂを備える。制御手段は、これら検出スイッチ２１Ａ，２１Ｂの検出状態に基づいて、蓋部の開閉状態を判定する。【選択図】  図２
2005322334.tif 000002
【特許請求の範囲】
【請求項１】
情報を記録および／または再生するディスクを回転させる駆動手段、回転するディスクに記録された情報の再生および／または前記ディスクへの情報の記録を行う情報読取／書込手段、ならびに、これらを制御する制御手段を備えた装置本体と、この装置本体を収納する筐体とを備えたディスク装置であって、
前記筐体は、前記駆動手段、前記情報読取／書込手段および前記制御手段を収納する筐体本体と、この筐体本体に回動自在に軸支され、該筐体本体に形成されたディスク装着用の開口部を塞ぐ蓋部とを備え、
前記装置本体は、前記蓋部が回動自在に支持される軸部近傍に設けられ、前記蓋部の開閉状態を検出する第１の検出スイッチと、前記蓋部の回動支点とは反対側の端部近傍に設けられ、該蓋部の開閉状態を検出する第２の検出スイッチとを備え、
前記制御手段は、前記第１の検出スイッチおよび前記第２の検出スイッチの検出状態に基づいて、前記蓋部の開閉状態を判定することを特徴とするディスク装置。
【請求項２】
請求項１に記載のディスク装置において、
前記蓋部は、開角が略６０°の範囲で開閉し、
前記第１の検出スイッチは、前記蓋部が略１０〜６０°の開角で開放された場合に、該蓋部の開放を検出し、
前記第２の検出スイッチは、前記蓋部が略１〜６０°の開角で開放された場合に、該蓋部の開放を検出することを特徴とするディスク装置。
【請求項３】
請求項１または請求項２に記載のディスク装置において、
前記第１の検出スイッチは、プッシュ式のスイッチであり、
前記蓋部は、該蓋部の回動支点の周囲に形成され、該蓋部の開閉とともに回動し、該蓋部の閉状態で、前記第１の検出スイッチを押圧する突出部を備えることを特徴とするディスク装置。
【請求項４】
請求項１から請求項３のいずれかに記載のディスク装置において、
前記第２の検出スイッチは、前記筐体本体に形成された孔部に応じた位置に配置されるプッシュ式のスイッチであり、
前記蓋部は、該蓋部の閉塞時に、前記第２の検出スイッチを押圧する突起を備えることを特徴とするディスク装置。
【請求項５】
請求項１から請求項４のいずれかに記載のディスク装置において、
前記制御手段は、前記第１および第２の検出スイッチのいずれか一方により前記蓋部が開放されたと検出されると、前記駆動手段による前記ディスクの回転を制動することを特徴とするディスク装置。
【請求項６】
請求項１から請求項５のいずれかに記載のディスク装置を備えたことを特徴とするエンタテインメント装置。
【発明の詳細な説明】
【技術分野】
【０００１】
本発明は、情報を記録および／または再生するディスクを回転させる駆動手段、回転するディスクに記録された情報の再生および／または前記ディスクへの情報の記録を行う情報読取／書込手段、ならびに、これらを制御する制御手段を備えた装置本体と、この装置本体を収納する筐体とを備えたディスク装置およびエンタテインメント装置に関する。
【背景技術】
【０００２】
従来から、ＣＤ、ＤＶＤ等の光ディスクに記録された情報を再生する光ディスク装置や、光ディスクに対して情報の記録／再生を行う光ディスク装置が知られている。これらの光ディスク装置は、装着された光ディスクの情報記録面に光学ピックアップから光スポットを照射して、その反射光を検出することにより、情報を記録および／または再生するように構成されている。
【０００３】
このような光ディスク装置として、光ディスクを収納する収納部と、この収納部に収納された光ディスクを覆う蓋部とを備えた光ディスク装置が知られている。このような光ディスク装置では、収納部内に光ディスクを回転自在に支持するスピンドルモータが露出しており、このスピンドルモータによって回転する光ディスクを蓋部が覆うことにより、回転中の光ディスクに対して使用者が接触できないようにして、安全性を確保するとともに、光ディスクの回転が妨げられないようにしている。
【０００４】
このような光ディスク装置の１つとして、蓋部（上ブタ）が開放された場合に、蓋部の開放を検出する開放検出スイッチが設けられた光ディスク装置（ＣＤプレーヤ）が知られている（例えば、特許文献１参照）。このような光ディスク装置では、蓋部の閉状態でＯＮとなり、開状態でＯＦＦとなる検知スイッチを蓋部に当接するように設け、この検知スイッチがＯＦＦになると、光ディスク装置内部の制御回路に開放検知信号が送信され、この制御回路によって光ディスクの回転にブレーキがかかる。
【０００５】
【特許文献１】特開平１１−１２６４０９号公報（第４〜５頁、図１）
【発明の開示】
【発明が解決しようとする課題】
【０００６】
しかしながら、ディスク装置のさらなる品質向上のために、特許文献１に記載の光ディスク装置の構成より、一層確実に蓋部の開放を検出できる構成を備えたディスク装置が求められてきた。
【０００７】
本発明の目的は、蓋部の開放をより確実に検出できるディスク装置およびエンタテインメント装置を提供することである。
【課題を解決するための手段】
【０００８】
本発明のディスク装置は、情報を記録および／または再生するディスクを回転させる駆動手段、回転するディスクに記録された情報の再生および／または前記ディスクへの情報の記録を行う情報読取／書込手段、ならびに、これらを制御する制御手段を備えた装置本体と、この装置本体を収納する筐体とを備えたディスク装置であって、前記筐体は、前記駆動手段、前記情報読取／書込手段および前記制御手段を収納する筐体本体と、この筐体本体に回動自在に軸支され、該筐体本体に形成されたディスク装着用の開口部を塞ぐ蓋部とを備え、前記装置本体は、前記蓋部が回動自在に支持される軸部近傍に設けられ、前記蓋部の開閉状態を検出する第１の検出スイッチと、前記蓋部の回動支点とは反対側の端部近傍に設けられ、該蓋部の開閉状態を検出する第２の検出スイッチとを備え、前記制御手段は、前記第１の検出スイッチおよび前記第２の検出スイッチの検出状態に基づいて、前記蓋部の開閉状態を判定することを特徴とする。
【０００９】
ここで、ディスクは、ＣＤ、ＣＤ−ＲＯＭ、ＣＤ−Ｒ、ＣＤ−ＲＷおよびＤＶＤ−ＲＯＭ、ＤＶＤ−Ｒ、ＤＶＤ−ＲＷ、ＤＶＤ＋Ｒ、ＤＶＤ＋ＲＷ、ＤＶＤ−ＲＡＭ、ＢＤ（BLU-RAY DISC：登録商標）等の光ディスク、ＭＯディスク（光磁気ディスク）、磁気ディスクおよびレコード等を採用することができる。
本発明によれば、蓋部を回動自在に支持する軸部近傍に設けられた第１の検出スイッチと、蓋部の回動支点とは反対側の端部近傍に設けられた第２の検出スイッチとにより、蓋部の開閉が検出されるので、より確実に蓋部の開放を検出することができる。すなわち、蓋部が開放された際に、開口部分の大きい蓋部の先端側端部近傍に設けられた第２の検出スイッチが、使用者等の操作により、蓋部が閉状態であると誤って検出した場合でも、第１のスイッチは、蓋部が開状態であることを検出することができる。そして、これら第１および第２の検出スイッチの検出状態に基づいて、制御手段が蓋部の開閉状態を判定することにより、確実に蓋部の開放を検出することができる。
【００１０】
本発明では、前記蓋部は、開角が略６０°の範囲で開閉し、前記第１の検出スイッチは、前記蓋部が略１０〜６０°の開角で開放された場合に、該蓋部の開放を検出し、前記第２の検出スイッチは、前記蓋部が略１〜６０°の開角で開放された場合に、該蓋部の開放を検出することが好ましい。
ここで、蓋部の回動支点とは反対側の端部近傍、すなわち、蓋部の開状態で、該蓋部の移動量の大きい端部近傍に設けられた第２の検出スイッチに、使用者の指が当接されるなどして、蓋部が閉塞されたと検出される場合がある。このような場合で、かつ、蓋部が約１２ｃｍの直径を有するＣＤ程度の大きさの場合には、蓋部とディスク装着用の開口との間に指等を挿入するために、蓋部は約１０°以上の開角をもって開放される。これに対し、本発明では、第２の検出スイッチが、蓋部が閉状態であると検出した場合であっても、蓋部の開角が１０°以上であれば、第１の検出スイッチにより蓋部の開放を検出することができる。従って、第１の検出スイッチが略１０〜６０°の範囲の蓋部の開放を検出することにより、第２の検出スイッチが、何らかの原因により蓋部が閉状態であると検出した場合でも、第１の検出スイッチにより該蓋部の開放を確実に検出することができる。
【００１１】
本発明では、前記第１の検出スイッチは、プッシュ式のスイッチであり、前記蓋部は、該蓋部の回動支点の周囲に形成され、該蓋部の開閉とともに回動し、該蓋部の閉状態で、前記第１の検出スイッチを押圧する突出部を備えることが好ましい。
本発明によれば、プッシュ式のスイッチによって構成された第１の検出スイッチを、蓋部の開閉とともに回動する突出部が押圧するので、確実に蓋部の開閉状態を第１の検出スイッチが検出することができる。また、このような第１の検出スイッチによる蓋部の開閉状態の検出は、蓋部の突出部により行われるので、蓋部の開閉状態の検出を簡単な構成により実現することができる。
【００１２】
本発明では、前記第２の検出スイッチは、前記筐体本体に形成された孔部に応じた位置に配置されるプッシュ式のスイッチであり、前記蓋部は、該蓋部の閉塞時に、前記第２の検出スイッチを押圧する突起を備えることが好ましい。
本発明によれば、前述の第１の検出スイッチと同様に、第２の検出スイッチをプッシュ式のスイッチで構成し、蓋部に設けられた突起により第２の検出スイッチを押圧する構成とすることにより、蓋部の開閉状態を簡単な構成で検出することができる。また、第２の検出スイッチは、筐体本体に形成されて孔部に応じた位置に配置されるので、蓋部の突起は、該孔部を介して、第２の検出スイッチを押圧することとなる。従って、蓋部の開閉状態を簡略で、かつ、誤動作を防ぐことのできる蓋部の開閉検出機構を構成することができる。
【００１３】
本発明では、前記制御手段は、前記第１および第２の検出スイッチのいずれか一方により前記蓋部が開放されたと検出されると、前記駆動手段による前記ディスクの回転を制動することが好ましい。換言すると、前記制御手段は、前記第１および第２の検出スイッチのそれぞれにより前記蓋部が閉塞されたと検出された場合に、該蓋部が閉塞されたと判定することが好ましい。
本発明によれば、第１および第２の検出スイッチのいずれかにより蓋部の開放が検出された場合に、ディスクの回転を制動するので、ディスクの回転中に蓋部が開放された場合でも、ディスクに作用する遠心力等の力を低減させることができる。これにより、ディスクと駆動手段との係合が弱まることがないので、ディスクを筐体本体に安定して保持させることができる。また、ディスクを取り出す際に、回転中のディスクを人為的に停止させる必要も無いので、ディスク装置の利便性を高めることができるとともに、ディスクの駆動機構を安定させることができる。
【００１４】
本発明のエンタテインメント装置は、前述のディスク装置を備えたことを特徴とする。
ここで、エンタテインメント装置とは、使用者からの指示に応じてゲームプログラム等の各種プログラムを実行したり、映像・音声情報を再生するものを挙げることができる。
本発明によれば、前述のディスク装置と略同じ効果を奏することができる。すなわち、前述のディスク装置を備えたエンタテインメント装置として構成することにより、情報源となるディスクの装着時、および、ディスクの取出時のディスク装置の蓋部の開閉状態を一層確実に検出することができ、エンタテインメント装置の品質の向上を図ることができる。
【発明を実施するための最良の形態】
【００１５】
以下、本発明の一実施形態を図面に基づいて説明する。
図１には、本発明のエンタテインメント装置１の概要斜視図が示されている。また、図２には、図１の状態から蓋部を開放したエンタテインメント装置１の斜視図が示されている。
【００１６】
エンタテインメント装置１は、内部に備えたディスク装置により、例えば、ＣＤ、ＤＶＤ等の光ディスク４に記録されているゲームプログラム等を読み出して、使用者（ゲームプレーヤ）が操作するコントローラ（図示略）からの指示に応じて、該ゲームプログラムを実行するディスク装置である。このエンタテインメント装置１は、テレビジョン受像機（図示略）と電気的に接続され、ゲームプログラムの処理結果から画像情報および音声情報を該テレビジョン受像機に出力する。
なお、ゲームの実行とは、主としてゲームの進行、および画像・音声情報の出力等を制御することをいう。
【００１７】
このエンタテインメント装置１は、図１および図２に示されるように、電子部品等を有する装置本体（図示略）と、この装置本体を収容するエンタテインメント装置用筐体（以下、筐体という）１０とを備えて構成されている。
筐体１０は、ＡＢＳ樹脂から構成され、装置本体を収容するアッパーケース１１およびロアーケース１２を備え、平面視矩形状に形成されている。
アッパーケース１１は、装置本体を上方から覆うものであり、アッパーケース１１の筐体本体であるアッパーケース本体１４と、このアッパーケース本体１４の略中央部分に設けられた平面視略円形状の蓋部１３とを備えて構成されている。
【００１８】
アッパーケース本体１４の略中央には、平面視略円形状で、かつ、断面略凹状に形成された光ディスク収納部２０が形成されている。
光ディスク収納部２０には、光ディスク４を収納する開口部２０Ａが上方に向かって形成されており、この開口部２０Ａを蓋部１３が覆うように構成されている。
光ディスク収納部２０の図２における手前側には、アッパーケース本体１４を貫通するように孔部２０Ｂが形成されており、この下方に検出スイッチ２１Ｂが配置されている。なお、検出スイッチ２１Ｂについては、後に詳述する。
【００１９】
光ディスク収納部２０の略中央には、光ディスク４を保持するチャッキング部材６２が設けられている。このチャッキング部材６２は、装置本体に設けられた駆動手段としてのスピンドルモータ（図１および図２では図示略、図６参照）に軸支されており、このスピンドルモータにより、光ディスク４を回転させる構成となっている。
また、光ディスク収納部２０には、チャッキング部材６２に装着された光ディスク４から、該光ディスク４に記録された情報を取得および該光ディスク４の情報を記録する情報読取／書込手段としてのピックアップ部（図１および図２では図示略）が露出している。このピックアップ部は、光ディスク４に光スポットを照射する光ヘッド等を備えて構成されている。また、ピックアップ部は、装置本体（図示略）に設けられ、装置本体の動作制御を行う回路基板（図１および図２では図示略）に電気的に接続されており、ピックアップ部によって取得された情報は回路基板に出力され、該回路基板で実行・処理される。
【００２０】
アッパーケース本体１４の上面には、光ディスク収納部２０を挟むように２つの開口が形成され、それぞれの開口からボタン１５，１６が露出している。このうち、光ディスク収納部２０の左側に配置されたボタン１５は、装置の電源をオンまたはオフする際に操作する電源ボタン１５であり、右側に配置されたボタン１６は、該蓋部１３の開閉を行うために蓋部１３に対して進退する図示しない係止部材が内蔵された開閉ボタン１６である。
また、アッパーケース本体１４内部には、該蓋部１３の開閉時の回動軸となる軸部１４Ａが、図２における奥側に設けられている。この軸部１４Ａは、蓋部１３を光ディスク収納部２０の形成面に対して０〜６０°の範囲で回動可能に保持している。
【００２１】
蓋部１３は、アッパーケース本体１４に形成された光ディスク収納部２０に対応して平面視略円形状に形成されている。この蓋部１３には、突出部１３Ａ，１３Ｂと、係合部１３Ｃとが、該蓋部１３と一体的に形成されている。
突出部１３Ａは、蓋部１３の端部から下方に向かって鋭角となるように突出して形成された側面視略三角形状の部分であり、前述の軸部１４Ａと係合して、該蓋部１３を回動自在にアッパーケース本体１４に取り付ける部分である。詳述すると、突出部１３Ａには、該突出部１３Ａを貫通する孔が形成され、この孔に軸部１４Ａが挿通することにより、該軸部１４Ａを軸として蓋部１３の上下方向の回動が可能となり、光ディスク収納部２０の開口部２０Ａが開放および閉塞される。なお、突出部１３Ａの先端部分は、丸みを帯びて形成されている。
この突出部１３Ａ近傍には、蓋部１３およびアッパーケース本体１４の間には、蓋部１３の回動軸周りに巻回されるコイルばね１７が設けられ、蓋部１３は、このコイルばね１７の付勢力を利用して開閉する構造とされている。
【００２２】
突出部１３Ｂは、蓋部１３の突出部１３Ａが設けられた端部とは反対側の端部、すなわち、図２における手前側の端部から下方に向かって突出する突起として形成されている。この突出部１３Ｂは、蓋部１３の閉状態で、前述の光ディスク収納部２０に形成された孔部２０Ｂに挿入される。
係合部１３Ｃは、アッパーケース本体１４に設けられた係止部材（図示略）に対応する蓋部１３外縁の位置に、光ディスク収納部２０に向かって突出して形成されている。この係合部１３Ｃの略中央には、開口が形成されており、この開口に係止部材が挿入されることにより、蓋部１３の閉状態で、該蓋部１３が係止される。
【００２３】
このような構成の蓋部１３は、以下のように機構により開放される。
すなわち、蓋部１３の閉状態（図１の状態）において、開閉ボタン１６を押すと、内蔵された係止部材（図示略）と、蓋部１３端部に設けられた係合部１３Ｃとの係合が解除され、コイルばね１７の付勢力により蓋部１３が開放（図２の状態）される。この蓋部１３の開放により、光ディスク収納部２０が露出する。この光ディスク収納部２０の光ディスク収納用の開口部２０Ａから、該光ディスク収納部２０の略中央に設けられたチャッキング部材６２に光ディスク４を装着し、蓋部１３を閉塞した後に、電源ボタン１５を押すと、装置本体の電源が入り、光ディスク４の記録内容を再生できるようになる。
【００２４】
また、筐体１０の図１および図２中手前の側面には、４つの開口１８が形成されている。このうち、上段に形成された２つの開口１８には、装置本体の動作制御を行う回路基板（図示略）に実装されるメモリーカード接続部（図示略）が露出し、下段に形成された２つの開口１８には、同様に回路基板に実装されるコントローラ接続部４３Ｂが露出する。
尚、メモリーカード接続部が露出する開口１８は、シャッタ１８Ａにより塞がれており、メモリーカード（図示略）の先端を押し込むと、このシャッタ１８Ａが開き、当該メモリーカードをメモリーカード接続部に接続できるようになっている。
【００２５】
一方、図１および図２では図示を略したが、筐体１０の開口１８が形成される側面とは反対側の面には、外部電源から電源ケーブルを介して装置本体に電力を供給する電源コネクタが露出する開口と、光ディスクに記録されている映像信号、音声信号等の各種信号を、テレビジョン受像機に出力する映像音声出力端子が露出する開口が形成されている。
【００２６】
さらに、筐体１０内には、蓋部１３の開放を検出する蓋開放検出部としての検出スイッチ２１Ａ，２１Ｂが設けられている。これら検出スイッチ２１Ａ，２１Ｂは、プッシュ式のスイッチで構成され、所定の圧力を受けた場合にＯＦＦとなり、該圧力が無くなった場合にＯＮとなるように構成されている。
このうち、検出スイッチ２１Ａは、本発明の第１の検出スイッチに相当し、前述の蓋部１３に形成された突出部１３Ａの下方に配置され、蓋部１３の閉状態で、突出部１３Ａの突出方向先端部分で押圧される。
【００２７】
また、検出スイッチ２１Ｂは、本発明の第２の検出スイッチに相当し、光ディスク収納部２０に形成された孔部２０Ｂの下方に配置されている。すなわち、検出スイッチ２１Ｂは、光ディスク収納部２０の中心部を中心として、突出部１３Ａ近傍に設けられた検出スイッチ２１Ａと略対称となる位置に配置されている。この検出スイッチ２１Ｂは、蓋部１３の閉状態で、蓋部１３に形成された突出部１３Ｂにより押圧される。
なお、これら検出スイッチ２１Ａ，２１Ｂは、後述する回路基板３（図６参照）に設けられた開放検出部３１（図６参照）と電気的に接続されており、検出スイッチ２１Ａ，２１Ｂと、蓋部１３の突出部１３Ａおよび突出部１３Ｂとの押圧状態に応じて所定の電気信号が、開放検出部３１に出力される。
【００２８】
図３〜図５には、蓋部１３の開閉に伴う該蓋部１３と検出スイッチ２１Ａ，２１Ｂとの係合状態を示す図が示されている。このうち、図３には、蓋部１３を閉塞した場合の係合状態が示され、図４には、蓋部１３をわずかに開放した場合の係合状態が示され、図５には、蓋部１３を全開した場合の係合状態が示されている。
蓋部１３が閉塞された状態では、図３に示すように、該蓋部１３に形成された突出部１３Ａおよび突出部１３Ｂの先端部分により、検出スイッチ２１Ａ，２１Ｂは押圧され、それぞれＯＦＦ状態となる。これら検出スイッチ２１Ａ，２１Ｂには、エンタテインメント装置１の電源がＯＮ状態である場合、図示しない電源ユニットから電圧が印加されており、回路基板の開放検出部にＯＦＦ状態であることを示す電気信号が出力される。なお、検出スイッチ２１Ａ，２１ＢがＯＦＦ状態である場合には、回路基板に電気信号を出力しないように構成してもよい。
【００２９】
蓋部１３がわずかに開放された場合、すなわち、蓋部１３が１〜１０°の開角で開放された場合では、図４に示すように、検出スイッチ２１Ａは、蓋部１３の突出部１３Ａにより押圧されたままであるが、検出スイッチ２１Ｂから蓋部１３の突出部１３Ｂが離間して、検出スイッチ２１Ｂの押圧状態が解除される。この状態では、検出スイッチ２１Ａからは、ＯＦＦ状態であることを示す電気信号が回路基板に出力されているが、検出スイッチ２１Ｂからは、突出部１３Ｂが離間したことにより、ＯＮ状態であることを示す電気信号が出力される。
【００３０】
蓋部１３が全開された場合、具体的には、蓋部１３が１１〜６０°の開角で開放された場合では、図５に示すように、検出スイッチ２１Ａ，２１Ｂから、突出部１３Ａおよび突出部１３Ｂが離間して、該検出スイッチ２１Ａ，２１Ｂの押圧状態が解除される。この状態では、検出スイッチ２１Ａ，２１Ｂのそれぞれから、ＯＮ状態であることを示す電気信号が回路基板の開放検出部３１に出力される。
【００３１】
図６には、検出スイッチ２１Ａ，２１Ｂからの電気信号に基づいて、スピンドルモータ２２およびピックアップ部２３の制御を行う制御部のブロック図が示されている。
回路基板３は、エンタテインメント装置１の動作制御等を行うものであり、詳しい図示を省略するが、光ディスク４から読み込んだプログラム等を処理するＣＰＵ（Central Processing Unit）や、ＣＰＵで処理されるプログラムが一時的に格納されるメモリ等の電子部品を備えている。また、この回路基板３には、これら電子部品を利用して、蓋部１３の開閉状態に基づいて電気信号を出力する開放検出部３１と、スピンドルモータ２２の回転数を検出する回転数検出部３２と、これら開放検出部３１および回転数検出部３２から出力される電気信号に基づいて、ピックアップ制御部３４および駆動制御部３５を介して、ピックアップ部２３およびスピンドルモータ２２の駆動制御を行う制御手段としての制御部３３とが展開されている。
【００３２】
開放検出部３１は、前述の検出スイッチ２１Ａ，２１Ｂと電気的に接続され、蓋部１３の突出部１３Ａ，１３Ｂによる押圧状態に応じて、検出スイッチ２１Ａ，２１Ｂから電気信号が出力される。そして、開放検出部３１は、検出スイッチ２１Ａ，２１Ｂから出力された電気信号のうち、いずれかがＯＮ状態を示す電気信号、すなわち、蓋部１３の突出部１３Ａおよび突出部１３Ｂのうちのいずれかが検出スイッチ２１Ａ，２１Ｂから離間した場合に出力される電気信号が入力された場合に、制御部３３に蓋部１３が開放されたこと、および、いずれの検出スイッチがＯＮ状態になったかを示す電気信号を出力する。
【００３３】
回転数検出部３２は、スピンドルモータ２２に接続され、該スピンドルモータ２２の回転数を検出する。この回転数検出部３２によるスピンドルモータ２２の回転数の検出結果は、電気信号として制御部３３に出力される。
【００３４】
図７には、制御部３３での処理を示すフローチャートである。
制御部３３は、開放検出部３１および回転数検出部３２から出力される電気信号に基づいて、ピックアップ部２３の移動および光スポット照射の制御を行うピックアップ制御部３４と、スピンドルモータ２２の駆動制御を行う駆動制御部３５に駆動信号を出力する。
制御部３３は、図７に示すように、まず、開放検出部３１からの電気信号を基に、蓋部１３が開放されているかを判定する（処理Ｓ１）。開放検出部３１から出力された電気信号が、蓋部１３が開放されていない旨を示す電気信号である場合は、そのまま処理を終了する。
一方、開放検出部３１からの電気信号が、蓋部１３が開放されている旨を示す電気信号である場合は、回転数検出部３２からの電気信号を基に、スピンドルモータ２２が回転しているかを判定する（処理Ｓ２）。回転数検出部３２から出力された電気信号が、スピンドルモータ２２が回転していないことを示す電気信号である場合は、そのまま処理を終了する。
【００３５】
ここで、回転数検出部３２からの電気信号が、スピンドルモータ２２が回転していることを示す電気信号である場合は、蓋部１３の開放を検出した検出スイッチ、すなわち、ＯＦＦ状態からＯＮ状態に切り替わった検出スイッチが、検出スイッチ２１Ａ，２１Ｂのうちのどちらかであるかを判定する（処理Ｓ３）。
この処理Ｓ３において、検出スイッチ２１ＢのみからＯＮ状態の電気信号が出力された場合、すなわち、蓋部１３が１〜９°の範囲の開角で開放された場合では、スピンドルモータ２２の駆動を制御する駆動制御部３５に、該スピンドルモータ２２に対してショートブレーキをかけるように、ショートブレーキ信号を出力する（処理Ｓ４１）。この信号を受信した駆動制御部３５は、スピンドルモータ２２への電力供給を停止し、かつ、該スピンドルモータ２２の回転により発生する回生電流を短絡させて、スピンドルモータ２２にショートブレーキをかける。これにより、スピンドルモータ２２の回転は、緩やかに制動されることにより、この停止動作中に使用者等が蓋部１３を閉塞した場合に、スピンドルモータ２２を必要回転数まで迅速に復帰することができ、ゲームの進行等の待ち時間を減縮することができる。
【００３６】
一方、処理Ｓ３において、少なくとも検出スイッチ２１ＡからＯＮ状態の電気信号が開放検出部３１に出力された場合、すなわち、蓋部１３が１０〜６０°の範囲の開角で開放された場合では、駆動制御部３５に、スピンドルモータ２２に対して逆転ブレーキをかけるように、逆転ブレーキ信号を出力する（処理Ｓ４２）。この逆転ブレーキ信号を受信した駆動制御部３５は、スピンドルモータ２２に対して、通常とは逆方向の電流を強制的に流して逆転ブレーキをかけ、スピンドルモータ２２の回転を制動する。これによれば、蓋部１３が大きく開放された場合に、スピンドルモータ２２の回転を迅速に停止させることができるので、光ディスク４の回転を人為的に、かつ、強制的に制動されることによるスピンドルモータ２２等の損傷を防ぐことができる。また、これにより、光ディスク４が開放された光ディスク収納部２０から、遠心力等によって該光ディスク４が飛び出すことを抑えることができる。
【００３７】
処理Ｓ４１または処理Ｓ４２の後、ピックアップ制御部３４に対して、ピックアップ部２３を安全な位置に退避させる駆動信号およびピックアップ部２３の光ヘッドからの光スポットの射出を停止させる信号を出力する（処理Ｓ５）。これらの信号が出力されたピックアップ制御部３４は、ピックアップ部２３を所定の退避位置、例えば、光ディスク４の最内周部に移動させ、光ディスク４への情報の読取および記録を行う光ヘッドからの光スポットの照射を停止させる。
【００３８】
なお、これら処理Ｓ３およびＳ４１，Ｓ４２と、処理Ｓ５とは、順序を逆にしてもよい。また、エンタテインメント装置１の電源がＯＮされている場合には、処理Ｓ１は常に実行されており、開放検出部３１からの電気信号が、蓋部１３が開放されている旨を示す電気信号である場合は、ゲームプログラムの実行処理に割り込んで、処理Ｓ２が優先的に実行される。
【００３９】
このような本実施形態によれば、以下の効果を奏することができる。
蓋部１３の開放を検出する検出スイッチ２１Ａ，２１Ｂは、筐体１０内に、蓋部１３の閉状態で、該蓋部１３の突出部１３Ａおよび突出部１３Ｂに当接するように設けられている。このうち、検出スイッチ２１Ａは、該検出スイッチ２１Ａから突出部１３Ａが離間した場合に、回路基板３に設けられた開放検出部３１に対して、ＯＮ状態の電気信号、すなわち、蓋部１３が開放された旨を示す電気信号を出力する。また、検出スイッチ２１Ｂは、該検出スイッチ２１Ｂから突出部１３Ｂが離間した場合に、開放検出部３１にＯＮ状態の電気信号、すなわち、蓋部１３が開放された旨を示す電気信号を出力する。これによれば、蓋部１３が開放され、使用者等により、検出スイッチ２１Ｂが押圧された場合でも、検出スイッチ２１Ａが蓋部１３の開放を検出するので、蓋部１３の開放を確実に検出することができる。
また、検出スイッチ２１Ａ，２１Ｂから電気信号が出力された開放検出部３１は、制御部３３に蓋部１３の開閉状態を出力し、蓋部１３が開放され、かつ、光ディスク４が回転中であれば、光ディスク４の回転を制動する。これによれば、蓋部１３の開放に伴って、回転するスピンドルモータ２２を確実に制動することができ、光ディスク４および回路基板３等の損傷を防ぐことができる。
【００４０】
蓋部１３は、光ディスク収納部２０が形成された面に対して０〜６０°の開角の範囲内で開放され、検出スイッチ２１Ａは、蓋部１３の１０〜６０°の範囲での開放を検出し、検出スイッチ２１Ｂは、１〜６０°の範囲での開放を検出する。ここで、光ディスク４の大きさがＣＤと同じ略１２ｃｍであるとし、蓋部１３が該光ディスク４と略同じ大きさであるとした場合、検出スイッチ２１Ｂだけが開放を検出する蓋部１３の最大開放角である９°で該蓋部１３が開放されると、蓋部１３端部と光ディスク収納部２０との間には、最大で約１．９ｃｍの隙間が生じることとなる。この隙間は、大人の指が入る程度であるので、この隙間を介して指等を光ディスク収納部２０に挿し入れ、筐体１０内に配置された検出スイッチ２１Ｂを押圧するのは困難である。これによれば、使用者等により人為的に検出スイッチ２１Ｂが押圧され、蓋部１３の開放が誤って検出されることを防ぐことができる。また、指等を深く挿し入れるには、前述の隙間をより大きくするために、蓋部１３の開角を大きくする必要があるが、このような場合では、検出スイッチ２１Ｂが人為的に押圧されても、検出スイッチ２１Ａにより、蓋部１３の開放が検出される。従って、蓋部１３の開放を一層確実に検出することができる。
【００４１】
検出スイッチ２１Ａ，２１Ｂは、プッシュ式のスイッチとして構成されている。このうち、検出スイッチ２１Ａは、蓋部１３の閉状態で、蓋部１３の突出部１３Ａの突出方向先端部分によって押圧される位置に配置され、検出スイッチ２１Ｂは、蓋部１３の閉状態で、該蓋部１３の突出部１３Ｂによって押圧される位置に配置されている。このため、軸部１４Ａを中心とする蓋部１３の回動に伴って、検出スイッチ２１Ａは、突出部１３Ａによる押圧／非押圧状態が切り替わるので、該検出スイッチ２１ＡのＯＦＦ／ＯＮ状態が切り替わり、検出スイッチ２１Ｂは、突出部１３Ｂによる押圧／非押圧状態が切り替わるので、該検出スイッチ２１ＢのＯＦＦ／ＯＮ状態が切り替わる。これによれば、蓋部１３の開閉検出の構成を簡素化することができ、かつ、確実に蓋部１３の開閉を検出することができる。
【００４２】
開放検出部３１は、検出スイッチ２１Ａ，２１Ｂから電気信号が出力され、この電気信号に基づいて蓋部１３の開閉状態が検出される。また、回転数検出部３２がスピンドルモータ２２の回転数を検出する。これら開放検出部３１および回転数検出部３２による検出結果が、制御部３３に出力される。この制御部３３は、蓋部１３が開放され、スピンドルモータ２２が回転中であれば、該スピンドルモータ２２を制動する駆動信号を駆動制御部３５に出力するとともに、ピックアップ部２３の制御信号をピックアップ制御部３４に出力する。これによれば、蓋部１３の開放に伴って、回転中のスピンドルモータ２２を制動することができるので、光ディスク４の回転によって該光ディスク４に加わる遠心力等により、該光ディスク４とスピンドルモータ２２との係合が外れ、光ディスク収納部２０から該光ディスク４が飛び出すことを防ぐことができる。また、使用者等により人為的にスピンドルモータ２２の回転が制動されることを防ぐことができるので、回路基板３の構成部品が電気的に損傷すること、および、エンタテインメント装置１の構成部品に負荷がかかって損傷することを防ぐことができる。さらに、ピックアップ部２３は、蓋部１３の開放に伴って、退避位置に退避されるとともに、光スポットの照射を停止するので、ピックアップ部２３の損傷を防ぐことができる。
【００４３】
また、制御部３３は、検出スイッチ２１Ｂのみが蓋部１３の開放を検出した場合には、スピンドルモータ２２にショートブレーキをかけるためのショートブレーキ信号を駆動制御部３５に出力する。一方、検出スイッチ２１Ａが蓋部１３の開放を検出した場合には、スピンドルモータ２２に逆転ブレーキをかけるための逆転ブレーキ信号を駆動制御部３５に出力する。これによれば、ショートブレーキをかける場合では、光ディスク４の回転数が緩やかに低下するので、蓋部１３が一度わずかに開放され、その後、再び蓋部１３が閉じられた場合に、迅速に必要回転数まで復帰することができる。また、逆転ブレーキをかける場合では、光ディスク４の回転を迅速に停止することができる。
【００４４】
なお、本発明は前述の実施形態に限定されるものではなく、本発明の目的を達成できる範囲での変形、改良等は本発明に含まれるものである。
前記実施形態では、検出スイッチ２１Ａの位置は、蓋部１３の突出部１３Ａの下方に配置するとしたが、図８に示すように、蓋部１３を閉塞する方向に対向する筐体１０の側面部に配置してもよい。すなわち、突出部１３Ａによって蓋部１３の閉状態で押圧され、開状態で離間する位置に検出スイッチ２１Ａが配置されていればよい。なお、検出スイッチ２１Ａを、突出部１３Ａの先端部分により押圧されるように、該突出部１３Ａの下方に配置すれば、蓋部１３のがたつきがあった場合でも、確実に検出スイッチ２１Ａに突出部１３Ａを当接することができる。
【００４５】
前記実施形態では、検出スイッチ２１Ａ，２１Ｂは、プッシュ式のスイッチとして構成したが、他の種類のスイッチ、例えば、スライドスイッチおよび光学式スイッチ等により構成してもよい。また、検出スイッチは、スイッチのＯＮ／ＯＦＦによらず、スイッチに加わる圧力に応じて抵抗値が大きくまたは小さくなり、このスイッチを流れる電流の大小によって、蓋部１３の開閉を検出するように構成してもよい。
【００４６】
前記実施形態では、検出スイッチ２１Ａ，２１Ｂは、蓋部１３の突出部１３Ａおよび突出部１３Ｂによる押圧状態でＯＦＦとなり、非押圧状態でＯＮとなるとしたが、逆に構成してもよい。すなわち、押圧状態でＯＮとなり、非押圧状態でＯＦＦとなるように、検出スイッチを構成してもよい。
【００４７】
前記実施形態では、蓋部１３の開閉状態に基づいて、光ディスク４を回転させるスピンドルモータ２２の回転を、ショートブレーキおよび逆転ブレーキのいずれかにより制動する構成としたが、いずれか一方であってもよい。すなわち、検出スイッチ２１Ａ，２１Ｂのいずれかから蓋部１３が離間して該蓋部１３の開放を検出した場合に、ショートブレーキおよび逆転ブレーキのいずれかのブレーキにより、スピンドルモータ２２の回転を制動するように構成してもよい。
【００４８】
前記実施形態では、検出スイッチ２１Ａが１０〜６０°の範囲での蓋部１３の開放を検出し、検出スイッチ２１Ｂが１〜６０°の範囲での蓋部１３の開放を検出するとしたが、これらの範囲に限られない。すなわち、プッシュ式のスイッチとして構成された検出スイッチ２１Ａ，２１Ｂの位置および形状を変更することによって、検出範囲を拡大するように構成してもよい。
また、蓋部１３の開放は１〜６０°の範囲に限らず、この開角範囲が６０°より小さくても大きくてもよい。
【産業上の利用可能性】
【００４９】
本発明は、ＣＤ、ＤＶＤ等の光ディスク、光磁気ディスク、磁気ディスク、レコード等のディスクに記録された情報を再生および／または該ディスクに情報を記録するディスク装置に利用することができる。
【図面の簡単な説明】
【００５０】
【図１】本発明の一実施形態にかかるエンタテインメント装置を示す概要斜視図。
【図２】図１の状態から蓋部を開放した前記実施形態におけるエンタテインメント装置を示す概要斜視図。
【図３】前記実施形態における蓋部を閉じた場合の該蓋部と検出スイッチとの係合状態を示す側面図。
【図４】前記実施形態における蓋部をわずかに開放した場合の該蓋部と検出スイッチとの係合状態を示す側面図。
【図５】前記実施形態における蓋部を全開した場合の該蓋部と検出スイッチとの係合状態を示す側面図。
【図６】前記実施形態における蓋部の開放に伴うスピンドルモータの駆動制御を行う制御部の構成を示すブロック図。
【図７】前記実施形態における制御部の処理手順を示すフローチャート。
【図８】前記実施形態における検出スイッチの配置位置の変形を示す側面図。
【符号の説明】
【００５１】
１…エンタテインメント装置、１０…筐体、１３…蓋部、１３Ａ…突出部、１３Ｂ…突出部（突起）、１４…アッパーケース本体（筐体本体）、２０Ａ…開口部、２０Ｂ…孔部、２１Ａ…検出スイッチ（第１の検出スイッチ）、２１Ｂ…検出スイッチ（第２の検出スイッチ）、２２…スピンドルモータ（駆動手段）、２３…ピックアップ部（情報読取／書込手段）、３３…制御部（制御手段）。
【図１】
2005322334.tif 000003
【図２】
2005322334.tif 000004
【図３】
2005322334.tif 000005
【図４】
2005322334.tif 000006
【図５】
2005322334.tif 000007
【図６】
2005322334.tif 000008
【図７】
2005322334.tif 000009
【図８】
2005322334.tif 000010